(57)【要約】【課題】コンパクト化を図ることができ、封止フィルムを円滑に開封することができる付加剤収容具及びそれを備えた混合容器セットを提供する。【解決手段】混合容器セット１２の付加剤収容具１０は、口部１８に着脱可能な接続部３０と、収容部３２と、封止フィルム３６とを有する。接続部３０には、接続部３０に対して収容部３２を回転させることによって封止フィルム３６を収容室３４の外側から収容部３２の回転方向に沿って破りながら収容室３４内に進入することが可能な開封用突起７８と、封止フィルム３６が開封された状態で収容室３４内と容器本体１６内とを連通する連通孔と、が形成されている。【選択図】図７
2017137113.tif 000002
【特許請求の範囲】
【請求項１】
容器本体内の溶剤に加えられる付加剤を収容する付加剤収容具であって、
前記容器本体に設けられた口部に着脱可能な接続部と、
前記接続部に回転可能に設けられ、且つ前記付加剤が収容された収容室を有する収容部と、
前記収容部に接着され、且つ前記収容室内に前記付加剤を封止する封止フィルムと、を備え、
前記接続部には、
当該接続部に対して前記収容部を回転させることによって前記封止フィルムを前記収容室の外側から前記収容部の回転方向に沿って破りながら前記収容室内に進入することが可能な開封用突起と、
前記口部に前記接続部が接続され且つ前記封止フィルムが開封された状態で前記収容室内と前記容器本体内とを連通する連通孔と、が形成されていることを特徴とする付加剤収容具。
【請求項２】
請求項１記載の付加剤収容具において、
前記接続部には、第１ねじ部が形成され、
前記収容部には、前記第１ねじ部に螺合可能な第２ねじ部が形成され、
前記開封用突起は、前記第１ねじ部及び前記第２ねじ部の締め付け方向への前記収容部の回転によって前記封止フィルムを破りながら前記収容室内に進入するように設けられていることを特徴とする付加剤収容具。
【請求項３】
請求項２記載の付加剤収容具において、
前記接続部には、前記口部に形成された第１接続ねじ部に螺合可能な第２接続ねじ部が形成され、
前記接続部に対して前記収容部を回転させるのに必要な力は、前記口部に対して前記接続部を回転させるのに必要な力よりも大きいことを特徴とする付加剤収容具。
【請求項４】
請求項３記載の付加剤収容具において、
前記接続部は、前記第１ねじ部が形成された第１円筒部を有し、
前記収容部は、
前記第２ねじ部が形成された円筒状の周壁部と、
前記周壁部の片方の開口を閉塞する閉塞部と、
前記閉塞部から延出するとともに前記第１円筒部の内孔に嵌入可能な第２円筒部と、を有し、
前記第２円筒部内には、前記収容室が形成され、
前記封止フィルムは、前記第２円筒部に接着され、
前記開封用突起は、前記第１円筒部の内孔に位置していることを特徴とする付加剤収容具。
【請求項５】
請求項４記載の付加剤収容具において、
前記開封用突起は、前記回転方向に沿って３６０°未満の所定角度だけ延在していることを特徴とする付加剤収容具。
【請求項６】
請求項５記載の付加剤収容具において、
前記第１ねじ部及び前記第２ねじ部は、最大締め付け位置に達したときに、前記開封用突起によって前記封止フィルムが破られる角度が３６０°未満であるように形成されていることを特徴とする付加剤収容具。
【請求項７】
請求項４〜６のいずれか１項に記載の付加剤収容具において、
前記開封用突起は、前記第１円筒部の軸線に沿って延在し、且つ前記第１円筒部のうち前記第２円筒部が嵌入される開口部側に向かって薄肉に形成されていることを特徴とする付加剤収容具。
【請求項８】
請求項４〜７のいずれか１項に記載の付加剤収容具において、
前記付加剤収容具には、前記封止フィルムが前記開封用突起によって開封された状態で前記収容部の前記第１ねじ部及び前記第２ねじ部の締め付け方向とは反対方向への回転を規制する回転規制部をさらに備えていることを特徴とする付加剤収容具。
【請求項９】
請求項４〜８のいずれか１項に記載の付加剤収容具において、
前記第１円筒部の内周面には、前記第２円筒部が嵌入される開口部側に向かって径方向外方に傾斜した第１テーパ面が形成され、
前記第２円筒部の外周面には、前記第１テーパ面に液密に接触可能な第２テーパ面が形成されていることを特徴とする付加剤収容具。
【請求項１０】
請求項４〜９のいずれか１項に記載の付加剤収容具において、
前記接続部は、前記第２接続ねじ部が形成された円筒状の外筒部と、
前記外筒部の内周面に設けられた円環部と、
前記円環部から延出して前記口部の内孔に嵌入可能な内筒部と、を有し、
前記内筒部の外周面には、当該内筒部の先端に向かって径方向内方に傾斜し、且つ前記口部の内周面に形成された第１接続テーパ面に液密に接触可能な第２接続テーパ面が形成されていることを特徴とする付加剤収容具。
【請求項１１】
請求項１０記載の付加剤収容具において、
前記接続部には、前記口部の先端面に液密に接触する第１シール突起が形成され、
前記収容部には、前記第１円筒部の先端面に液密に接触する第２シール突起が形成されていることを特徴とする付加剤収容具。
【請求項１２】
溶剤を収容する容器本体と、
前記容器本体に設けられた口部と、
前記溶剤に加えられる付加剤を収容する付加剤収容具と、を備えた混合容器セットであって、
前記付加剤収容具は、請求項１〜１１のいずれか１項に記載の付加剤収容具であることを特徴とする混合容器セット。
【発明の詳細な説明】
【技術分野】
【０００１】
本発明は、容器本体内の溶剤に加えられる付加剤を収容する付加剤収容具及びそれを備えた混合容器セットに関する。
【背景技術】
【０００２】
この種の混合容器セットとして、例えば、特許文献１の医薬物質用の滴下ボトルが知られている。この滴下ボトルは、ボトル本体と、ボトル本体の首部に接続されたキャップ部とを備えている。キャップ部は、ボトル本体内の液体に混合させる付加剤を収容する外側円筒体と、付加剤を外側円筒体内に封止するダイアフラムと、外側円筒体内に軸線方向に沿ってスライド可能に配設された内側円筒体とを有している。内側円筒体の下端部は、ダイアフラム（封止フィルム）を外側円筒体の軸線方向に沿って剪断することができるように鏨状又はのみ状に形成（斜めにカット）されている。
【先行技術文献】
【特許文献】
【０００３】
【特許文献１】特開平１１−２９０４２３号公報
【発明の概要】
【発明が解決しようとする課題】
【０００４】
上述した特許文献１のような従来技術では、内側円筒体を外側円筒体に対してボトル本体側にスライドさせることにより、内側円筒体の鏨状の下端部を封止フィルムに押し当てて当該封止フィルムを剪断している。そのため、キャップ部が軸線方向に比較的大きくなるという不都合がある。
【０００５】
また、付加剤が収容されている外側円筒体内に内側円筒体が配設されているため、封止フィルムを剪断する際に、内側円筒体の下端部と封止フィルムとの間に付加剤が入り込むことがある。そうすると、封止フィルムを円滑に開封させることができないおそれがある。
【０００６】
本発明は、このような課題を考慮してなされたものであり、コンパクト化を図ることができ、封止フィルムを円滑に開封することができる付加剤収容具及びそれを備えた混合容器セットを提供することを目的とする。
【課題を解決するための手段】
【０００７】
上記目的を達成するために、本発明に係る付加剤収容具は、容器本体内の溶剤に加えられる付加剤を収容する付加剤収容具であって、容器本体に設けられた口部に着脱可能な接続部と、接続部に回転可能に設けられ、且つ付加剤が収容された収容室を有する収容部と、収容部に接着され、且つ収容室内に付加剤を封止する封止フィルムと、を備え、接続部には、接続部に対して収容部を回転させることによって封止フィルムを収容室の外側から収容部の回転方向に沿って破りながら収容室内に進入することが可能な開封用突起と、口部に接続部が接続され且つ封止フィルムが開封された状態で収容室内と容器本体内とを連通する連通孔と、が形成されていることを特徴とする。
【０００８】
このような構成によれば、開封用突起によって封止フィルムを収容部の回転方向に沿って破ることができるので、付加剤収容具のコンパクト化を図ることができる。また、開封用突起を収容室内ではなく接続部に形成しているので、開封用突起を封止フィルムに対して直接的に接触させることができる。これにより、封止フィルムを円滑に開封することができる。
【０００９】
上記の付加剤収容具において、接続部には、第１ねじ部が形成され、収容部には、第１ねじ部に螺合可能な第２ねじ部が形成され、開封用突起は、第１ねじ部及び第２ねじ部の締め付け方向への収容部の回転によって封止フィルムを破りながら収容室内に進入するように設けられていてもよい。
【００１０】
このような構成によれば、第２ねじ部を第１ねじ部に対して締め付けることにより封止フィルムを開封用突起によって円滑に開封することができる。
【００１１】
上記の付加剤収容具において、接続部には、口部に形成された第１接続ねじ部に螺合可能な第２接続ねじ部が形成され、接続部に対して収容部を回転させるのに必要な力は、口部に対して接続部を回転させるのに必要な力よりも大きくてもよい。
【００１２】
このような構成によれば、ユーザが収容部を把持した状態で付加剤収容具を口部に接続する場合であっても、第２接続ねじ部を第１接続ねじ部に対して締め付けた後に、第２ねじ部に対して第１ねじ部を締め付けることができる。これにより、第１接続ねじ部及び第２接続ねじ部が互いに締め付けられる前に封止フィルムが開封することを防止することができる。
【００１３】
上記の付加剤収容具において、接続部は、第１ねじ部が形成された第１円筒部を有し、収容部は、第２ねじ部が形成された円筒状の周壁部と、周壁部の片方の開口を閉塞する閉塞部と、閉塞部から延出するとともに第１円筒部の内孔に嵌入可能な第２円筒部と、を有し、第２円筒部内には、収容室が形成され、封止フィルムは、第２円筒部に接着され、開封用突起は、第１円筒部の内孔に位置していてもよい。
【００１４】
このような構成によれば、簡易な構成により開封用突起を収容室の外側から封止フィルムに接触させることができる。
【００１５】
上記の付加剤収容具において、開封用突起は、回転方向に沿って３６０°未満の所定角度だけ延在していてもよい。
【００１６】
このような構成によれば、開封用突起によって封止フィルムが収容部から切り離されることを抑えることができる。
【００１７】
上記の付加剤収容具において、第１ねじ部及び第２ねじ部は、最大締め付け位置に達したときに、開封用突起によって封止フィルムが破られる角度が３６０°未満であるように形成されていてもよい。
【００１８】
このような構成によれば、開封用突起によって封止フィルムが収容部から切り離されることを一層抑えることができる。
【００１９】
上記の付加剤収容具において、開封用突起は、第１円筒部の軸線に沿って延在し、且つ第１円筒部のうち第２円筒部が嵌入される開口部側に向かって薄肉に形成されていてもよい。
【００２０】
このような構成によれば、開封用突起の先端部を封止フィルムに対して容易に貫通させることができる。
【００２１】
上記の付加剤収容具において、付加剤収容具には、封止フィルムが開封用突起によって開封された状態で収容部の第１ねじ部及び第２ねじ部の締め付け方向とは反対方向への回転を規制する回転規制部をさらに備えていてもよい。
【００２２】
このような構成によれば、封止フィルムが開封された後に収容部が接続部から取り外されて付加剤又は混合剤が漏出することを抑えることができる。
【００２３】
上記の付加剤収容具において、第１円筒部の内周面には、第２円筒部が嵌入される開口部側に向かって径方向外方に傾斜した第１テーパ面が形成され、第２円筒部の外周面には、第１テーパ面に液密に接触可能な第２テーパ面が形成されていてもよい。
【００２４】
このような構成によれば、接続部及び収容部の間から溶剤、付加剤又は混合剤（以下、溶剤等と称することがある）が漏出することを抑えることができる。
【００２５】
上記の付加剤収容具において、接続部は、第２接続ねじ部が形成された円筒状の外筒部と、外筒部の内周面に設けられた円環部と、円環部から延出して口部の内孔に嵌入可能な内筒部と、を有し、内筒部の外周面には、当該内筒部の先端に向かって径方向内方に傾斜し、且つ口部の内周面に形成された第１接続テーパ面に液密に接触可能な第２接続テーパ面が形成されていてもよい。
【００２６】
このような構成によれば、口部及び接続部の間から溶剤等が漏出することを抑えることができる。
【００２７】
上記の付加剤収容具において、接続部には、口部の先端面に液密に接触する第１シール突起が形成され、収容部には、第１円筒部の先端面に液密に接触する第２シール突起が形成されていてもよい。
【００２８】
このような構成によれば、溶剤等の漏出をさらに抑えることができる。
【００２９】
本発明に係る混合容器セットは、溶剤を収容する容器本体と、容器本体に設けられた口部と、溶剤に加えられる付加剤を収容する付加剤収容具と、を備えた混合容器セットであって、付加剤収容具は、上述した付加剤収容具であることを特徴とする。
【００３０】
このような構成によれば、上述した付加剤収容具と同様の作用効果を奏する混合容器セットを得ることができる。
【発明の効果】
【００３１】
本発明によれば、接続部に形成された開封用突起によって封止フィルムを収容部の回転方向に沿って破ることができるので、付加剤収容具のコンパクト化を図ることができ、封止フィルムを円滑に開封することができる。
【図面の簡単な説明】
【００３２】
【図１】本発明の一実施形態に係る付加剤収容具を備えた混合容器セットを示す模式図である。
【図２】図１の付加剤収容具の分解斜視図である。
【図３】図２の一部断面斜視図である。
【図４】図４Ａは接続部を容器の口部に接続した状態を示す一部省略縦断面図であり、図４Ｂは収容部を接続部に対して所定量だけ回転させた状態を示す一部省略縦断面図である。
【図５】図５Ａは図４ＢのＶＡ−ＶＡ線に沿った横断面図であり、図５Ｂは収容部を接続部に対して最大締め付け位置まで回転させた状態を示す横断面図である。
【図６】図６Ａは回転規制部の第１の状態を説明する拡大正面図であり、図６Ｂは回転規制部の第２の状態を説明する拡大正面図である。
【図７】溶剤に付加剤が混合された状態の混合容器セットの一部省略縦断面図である。
【図８】口部から付加剤収容具を取り外した状態を示す一部省略縦断面図である。
【発明を実施するための形態】
【００３３】
以下、本発明に係る付加剤収容具を備えた混合容器セットについて好適な実施形態を挙げ、添付の図面を参照しながら説明する。なお、図５Ａ及び図５Ｂでは、説明の便宜上、付加剤Ｍ２の図示を省略している。
【００３４】
本実施形態に係る混合容器セット１２は、飲食前に容器１４内の溶剤Ｍ１に付加剤Ｍ２を混合して撹拌することにより、味、粘度、成分等を変化させた経口栄養剤（混合剤Ｍ３）を得るためのものである。ただし、混合容器セット１２は、経口栄養剤を得るためのものに限定されない。すなわち、混合容器セット１２は、例えば、使用前に溶剤Ｍ１に付加剤Ｍ２を混合することにより、生体に投与する薬剤（混合剤Ｍ３）を得るためのものであってもよい。
【００３５】
図１に示すように、混合容器セット１２は、溶剤Ｍ１を収容する容器１４と、付加剤Ｍ２を収容する付加剤収容具１０とを備えている。容器１４は、パウチ容器として構成されており、可撓性を有する容器本体１６と、容器本体１６に設けられた口部１８と、口部１８に着脱自在なキャップ２０とを有している。
【００３６】
容器本体１６は、ポリ塩化ビニル、ポリオレフィンのような軟質樹脂製又はアルミニウム製の可撓性を有するフィルム材を重ね、その周縁のシール部において融着又は接着し、袋状に構成されたバッグである。容器本体１６は、透明に構成するのが好ましい。この場合、容器本体１６内の溶剤Ｍ１に付加剤Ｍ２を混合させた際にこれら物質の混ざり具合（溶解具合）を外から容易に視認することができるからである。
【００３７】
図１、図４Ａ、図４Ｂ、図７及び図８に示すように、口部１８は、硬質樹脂で一体的に成形されており、容器本体１６に対して融着又は接着されるとともに溶剤Ｍ１、付加剤Ｍ２又は混合剤Ｍ３（溶剤Ｍ１等）が流通する内孔１８ａを有している。口部１８の外周面には、キャップの図示しないねじ部が螺合する第１接続ねじ部２６が形成されている。口部１８の内周面の先端側には、先端に向かって口部１８の径方向外方に傾斜する第１接続テーパ面２８が形成されている。
【００３８】
図２及び図３に示すように、付加剤収容具１０は、口部１８に着脱可能な接続部３０と、付加剤Ｍ２が収容される収容室３４が形成された収容部３２と、収容室３４内に付加剤Ｍ２を封止する封止フィルム３６とを備えている。
【００３９】
接続部３０は、硬質樹脂によって一体的に成形されており、円筒状の外筒部３８と、外筒部３８の内周面に設けられた円環部４０と、円環部４０の内端部から外筒部３８の一端側に延出した円筒状の内筒部４２と、円環部４０の外端部から円環部４０の延出方向とは反対方向に延出した第１円筒部４４とを備えている。
【００４０】
外筒部３８の内周面には、第１接続ねじ部２６に螺合する第２接続ねじ部４８が形成されている。本実施形態では、第１接続ねじ部２６及び第２接続ねじ部４８が螺合した状態で、内筒部４２が口部１８の内孔１８ａに嵌入される（図４Ａ等参照）。このとき、内筒部４２の内孔４２ａは、口部１８の内孔１８ａを介して容器本体１６内に連通している（図７参照）。
【００４１】
外筒部３８の外周面には、ユーザの手指の滑り止めとして機能する第１滑り止め部５０が形成されている。本実施形態では、第１滑り止め部５０は、外筒部３８の略全長に亘って延在する凸部が外筒部３８の全周に亘って所定間隔離間して複数設けられることによって構成されている。このような第１滑り止め部５０は、例えば、ローレット加工により形成することができる。なお、第１滑り止め部５０の大きさ及び形状は任意に設定可能であり、外筒部３８の外周面に凹部を形成することによって構成してもよい。
【００４２】
円環部４０の一方の面（口部１８を指向する面）には、口部１８の先端面に液密に接触することにより溶剤Ｍ１等が容器１４と接続部３０との間から漏出することを抑えるための円環状の第１シール突起５２が形成されている。第１シール突起５２の大きさ及び形状は、任意に設定可能である。円環部４０の他方の面（第１円筒部４４の内孔に臨む面）には、径方向内方に向かって内筒部４２側に傾斜した傾斜面５４が形成されている。
【００４３】
内筒部４２は、外筒部３８と同軸に設けられ、外筒部３８よりも短く形成されている。内筒部４２の外周面には、先端に向かって内筒部４２の径方向内方に傾斜する第２接続テーパ面５６が形成されている。第２接続テーパ面５６は、内筒部４２の先端まで延在している。
【００４４】
図７から解かるように、内筒部４２の軸線に対する第２接続テーパ面５６の傾斜角度は、口部１８の軸線に対する第１接続テーパ面２８の傾斜角度と同一に設定されている。そのため、第２接続テーパ面５６は、第２接続ねじ部４８を第１接続ねじ部２６に締め付けた状態で第１接続テーパ面２８に液密に接触することとなる。これにより、口部１８及び接続部３０の間から溶剤Ｍ１等が漏出することを一層抑えることができる。
【００４５】
図２及び図３に示すように、第１円筒部４４の基端部は、外筒部３８の内周面の他端部に繋がっている。第１円筒部４４の内周面には、先端に向かって径方向外方に傾斜した第１テーパ面５８が形成されている。第１円筒部４４の外周面には、第１ねじ部６０が形成されている。
【００４６】
収容部３２は、硬質樹脂によって一体的に成形されており、円筒状の周壁部６２と、周壁部６２の片側の開口を閉塞する閉塞部６４と、周壁部６２内に位置するように閉塞部６４から延出した第２円筒部６６とを備えている。
【００４７】
周壁部６２と第２円筒部６６とは、互いに同軸に設けられている。周壁部６２の内周面には、接続部３０の第１ねじ部６０に螺合する第２ねじ部６８が形成されている。第２円筒部６６は、第１ねじ部６０及び第２ねじ部６８が螺合した状態で、第１円筒部４４の内孔４４ａに嵌入される（図４Ａ等参照）。
【００４８】
本実施形態では、接続部３０に対して収容部３２を回転させるのに必要な力（第１ねじ部６０及び第２ねじ部６８の締め付けトルク）は、口部１８に対して接続部３０を回転させるのに必要な力（第１接続ねじ部２６及び第２接続ねじ部４８の締め付けトルク）よりも大きくなるように設定されている。これにより、例えば、ユーザが収容部３２を把持した状態で接続部３０を口部１８に接続する場合であっても、第２接続ねじ部４８が第１接続ねじ部２６に対して締め付けられた後に第２ねじ部６８が第１ねじ部６０に対して締めつけられることとなる。
【００４９】
周壁部６２の外周面には、ユーザの手指の滑り止めとして機能する第２滑り止め部７０が形成されている。本実施形態では、第２滑り止め部７０は、周壁部６２の略全長に亘って延在する凸部が周壁部６２の全周に亘って所定間隔離間して複数設けられることによって構成されている。このような第２滑り止め部７０は、例えば、ローレット加工により形成することができる。なお、第２滑り止め部７０の大きさ及び形状は任意に設定可能であり、周壁部６２の外周面に凹部を形成することによって構成してもよい。
【００５０】
閉塞部６４の一方の面には、第１円筒部４４の先端面に接触することにより溶剤Ｍ１等が接続部３０と収容部３２との間から漏出することを抑えるための円環状の第２シール突起７２が形成されている。第２シール突起７２の大きさ及び形状は、任意に設定可能である。
【００５１】
図７及び図８から解かるように、第２円筒部６６の外周面には、先端に向かって径方向内方に傾斜した第２テーパ面７４が形成されている。第２円筒部６６の軸線に対する第２テーパ面７４の傾斜角度は、第１円筒部４４の軸線に対する第１テーパ面５８の傾斜角度と同一に設定されている。そのため、第２テーパ面７４は、第２ねじ部６８を第１ねじ部６０に締め付けた状態で第１テーパ面５８に液密に接触することとなる。これにより、接続部３０及び収容部３２の間から溶剤Ｍ１等が漏出することを一層抑えることができる。
【００５２】
図３に示すように、第２円筒部６６の内孔は、付加剤Ｍ２を収容する収容室３４として機能する。付加剤Ｍ２は、例えば、粉末剤、錠剤、顆粒剤、液剤等を用いることができる。一般的に、粉末剤は、錠剤及び顆粒剤よりも溶剤Ｍ１に均一に混合（溶解）させ易く、且つ液剤よりも保存期間が長い。そのため、付加剤Ｍ２としては、粉末剤を用いるのが好ましい。
【００５３】
付加剤Ｍ２は、フレーバ（香料）、ゲル化剤、栄養素等を含有することができる。栄養素としては、例えば、分岐鎖アミノ酸（BCAA：branched-chain amino acids）等が挙げられる。
【００５４】
第２円筒部６６の先端面（閉塞部６４とは反対側の端面）には、収容室３４内に付加剤Ｍ２を封止するための封止フィルム３６が接着されている。封止フィルム３６としては、アルミニウム製のフィルムを好適に用いることができるが、樹脂製のフィルム等であってもよい。封止フィルム３６の縁部は、第２円筒部６６の先端面に接着されている。
【００５５】
なお、第２円筒部６６の先端部の外周面には、環状凹部７６が形成されている。環状凹部７６は、製造時に、封止フィルム３６を貼り付けた後、その余分な部分をパンチ切断する際のパンチ刃の逃げ空間（クリアランス）である。これにより、封止フィルム３６を第２円筒部６６の先端部の外形形状に沿って効率的に形成することができる。すなわち、封止フィルム３６が第２円筒部６６の外側にはみ出すことが抑えられるため、封止フィルム３６が第１円筒部４４と第２円筒部６６との間に挟み込まれることを防止することができる。
【００５６】
このように構成される付加剤収容具１０では、封止フィルム３６を収容室３４の外側から開封するための開封用突起７８が接続部３０に設けられている。具体的には、開封用突起７８は、内筒部４２の他端面から第１円筒部４４の軸線方向に沿って第１円筒部４４における第２円筒部６６が嵌入される開口部側に向かって突出している。
【００５７】
すなわち、開封用突起７８は、第１ねじ部６０及び第２ねじ部６８を互いに締め付ける（収容部３２を接続部３０に対して回転させる）ことによって封止フィルム３６を収容室３４の外側から収容部３２の回転方向に沿って破りながら収容室３４内に進入する（図４Ｂ〜図５Ｂ及び図７参照）。また、開封用突起７８は、封止フィルム３６のうち第２円筒部６６の内周面の近傍に接触するように設けられている（図５Ａ参照）。これにより、封止フィルム３６を第２円筒部６６の内周面に沿って比較的大きく開封することができる。
【００５８】
開封用突起７８は、封止フィルム３６を３６０°の範囲で破らない（封止フィルム３６が第２円筒部６６から切り離されない）ように、内筒部４２の周方向に所定角度だけ延在している。前記所定角度は、３０°以上９０°以下、好ましくは４５°以上７５°以下、さらに好ましくは６０°に設定される。
【００５９】
前記所定角度が３０°よりも小さいと、封止フィルム３６を開封するために必要な収容部３２の接続部３０に対する回転量が比較的多くなる（第１ねじ部６０及び第２ねじ部６８の長さが長くなる）ため付加剤収容具１０が大きくなり易い。一方、前記所定角度が９０°よりも大きいと、封止フィルム３６が３６０°の範囲で破れるおそれがある。前記所定角度が６０°であれば、封止フィルム３６が３６０°の範囲で破れることを確実に抑えることができるとともに付加剤収容具１０のコンパクト化を好適に図ることができる。
【００６０】
このような開封用突起７８を備える場合、第１ねじ部６０及び第２ねじ部６８は、最大締め付け位置に達したときに、開封用突起７８により封止フィルム３６が収容部３２の回転方向に３６０°未満の所定角度θ（例えば、３００°）だけ破られるように形成されている（図５Ｂ参照）。これにより、開封用突起７８によって封止フィルム３６が収容部３２から切り離されることを一層抑えることができる。
【００６１】
なお、所定角度θは、１８０°以上が好ましく、３００°がより好ましい。これにより、付加剤Ｍ２の重さによって、封止フィルム３６の切り離された部分がめくれやすくなるとともに、完全に切り離されにくくなる。
【００６２】
開封用突起７８のうち第１円筒部４４の径方向内方を指向する内面は、先端に向かって径方向外側に傾斜している。換言すれば、開封用突起７８は、先端側に向かって徐々に薄肉に形成されている。これにより、開封用突起７８の先端部を封止フィルム３６に対して容易に貫通させることができる。
【００６３】
図２、図５Ａ〜図６Ｂに示すように、付加剤収容具１０には、封止フィルム３６が開封された状態で第１ねじ部６０及び第２ねじ部６８の締め付け方向（Ｒ１方向）とは反対方向（Ｒ２方向）への接続部３０に対する収容部３２の回転を規制する回転規制部８０が設けられている。回転規制部８０は、接続部３０の外筒部３８の他端面に周方向に位相が１８０°ずれた位置に設けられた一対の第１凸部８２と、収容部３２の周壁部６２の一端面に周方向に位相が１８０°ずれた位置に設けられた一対の第２凸部８４とを有している。
【００６４】
図６Ａ及び図６Ｂに示すように、各第１凸部８２は、外筒部３８の他端面からＲ１方向に向かって周壁部６２側に斜めに延在した第１面８２ａと、第１面８２ａの先端からＲ２方向に向かって外筒部３８の他端面まで斜めに延在した第２面８２ｂとを有している。
【００６５】
各第２凸部８４は、周壁部６２の一端面からＲ２方向に向かって外筒部３８側に斜めに延在した第３面８４ａと、第３面８４ａの先端から周壁部６２の軸線に沿って周壁部６２の一端面まで延在した第４面８４ｂとを有している。
【００６６】
第１凸部８２及び第２凸部８４は、収容部３２を接続部３０に対してＲ１方向に回転させた際に第１面８２ａと第３面８４ａとが互いに接触することにより第２凸部８４が第１凸部８２を乗り越えることができるように形成されている。また、第１凸部８２及び第２凸部８４は、封止フィルム３６が開封された状態で、収容部３２を接続部３０に対してＲ２方向に回転させた際に第４面８４ｂと第２面８２ｂとが互いに接触することにより第２凸部８４が第１凸部８２を乗り越えることができないように形成されている。
【００６７】
本実施形態に係る付加剤収容具１０を備えた混合容器セット１２は、基本的には以上のように構成されるものであり、次に、混合容器セット１２の使用方法について説明する。なお、初期状態において、容器本体１６はキャップ２０によって封止されており、封止フィルム３６が開封されていない状態で第１ねじ部６０及び第２ねじ部６８が互いに螺合されているものとする。
【００６８】
図１に示すように、まず、ユーザは、容器本体１６からキャップ２０を取り外し、所望の付加剤Ｍ２が収容されている付加剤収容具１０の接続部３０を容器本体１６の口部１８に接続する。すなわち、ユーザは、第１滑り止め部５０を把持した状態で、第２接続ねじ部４８を第１接続ねじ部２６に螺合させて接続部３０を容器本体１６に対してＲ１方向に回転させる。これにより、第２接続ねじ部４８が第１接続ねじ部２６に対して確実且つ円滑に締め付けられる（図４Ａ参照）。
【００６９】
なお、ユーザは、第２滑り止め部７０を把持した状態で、付加剤収容具１０を容器本体１６に対してＲ１方向に回転させてもよい。この場合であっても、接続部３０に対して収容部３２を回転させるのに必要な力（回転抵抗力）が口部１８に対して接続部３０を回転させるのに必要な力（回転抵抗力）よりも大きいため、第１接続ねじ部２６及び第２接続ねじ部４８が互いに締め付けられる前に封止フィルム３６が開封することを防止することができる。
【００７０】
図４Ａに示すように、第２接続ねじ部４８を第１接続ねじ部２６に対して締め付けると、接続部３０の内筒部４２が口部１８の内孔１８ａに嵌入される。このとき、第２接続テーパ面５６と第１接続テーパ面２８とが互いに液密に接触するとともに第１シール突起５２が弾性変形した状態で口部１８の先端面に液密に接触する。これにより、容器１４内の溶剤Ｍ１等が口部１８及び接続部３０の間から漏出することが抑えられる。
【００７１】
続いて、ユーザは、第２滑り止め部７０を把持した状態で収容部３２を接続部３０に対してＲ１方向に回転させる。そうすると、第１ねじ部６０及び第２ねじ部６８が互いに締め付けられ、開封用突起７８の先端が封止フィルム３６の外表面に接触する。そして、封止フィルム３６がＲ１方向に回転しながら開封用突起７８の先端に向かって押し付けられるため、開封用突起７８の先端部が封止フィルム３６のうち第１円筒部４４の内周面の近傍を貫通する（図４Ｂ及び図５Ａ参照）。
【００７２】
次いで、収容部３２をＲ１方向にさらに回転させると、封止フィルム３６は、開封用突起７８のＲ２方向の側面に接触しながらＲ１方向に回転するとともに開封用突起７８の基端側に進行する。換言すれば、開封用突起７８が収容室３４内に進行する。そのため、封止フィルム３６の破断部８６は、拡幅しながらＲ１方向に沿って広がる。
【００７３】
このとき、図６Ａに示すように、第１凸部８２の第１面８２ａと第２凸部８４の第３面８４ａとが接触して第２凸部８４が第１凸部８２を乗り越えることが可能であるため、接続部３０に対して収容部３２をＲ１方向に回転させることができる。
【００７４】
そして、第１ねじ部６０及び第２ねじ部６８の最大締め付け位置まで収容部３２を回転させると、封止フィルム３６は、開封用突起７８によって周方向に所定角度θ（例えば、３００°）だけ破られて開封する（図５Ｂ参照）。このとき、図７に示すように、収容室３４内は、封止フィルム３６の破断部８６、接続部３０の連通孔（第１円筒部４４の内孔４４ａ及び内筒部４２の内孔４２ａ）並びに口部１８の内孔１８ａを介して容器本体１６内に連通するため、収容室３４内の付加剤Ｍ２が容器本体１６内に導入される。
【００７５】
なお、本実施形態では、付加剤Ｍ２は傾斜面５４によって内筒部４２の内孔４２ａに導かれるため、接続部３０に付加剤Ｍ２が残留することを抑えることができる。さらに、封止フィルム３６は、周方向に所定角度（例えば、６０°）だけ破られずに残っているため、封止フィルム３６の一部が収容部３２から切り離されて容器本体１６内に脱落することはない（図５Ｂ及び図７参照）。
【００７６】
また、第１ねじ部６０及び第２ねじ部６８の最大締め付け位置では、第１テーパ面５８と第２テーパ面７４とが互いに液密に接触するとともに第２シール突起７２が弾性変形した状態で第１円筒部４４の先端面に液密に接触している。すなわち、容器１４内の溶剤Ｍ１等が接続部３０及び収容部３２の間から漏出することが抑えられている。
【００７７】
さらに、このとき、第１凸部８２の第２面８２ｂと第２凸部８４の第４面８４ｂとが互いに接触して第２凸部８４が第１凸部８２を乗り越えることができなくなっている（図６Ｂ参照）。つまり、収容部３２は、接続部３０に対してＲ２方向に回転させることができない。そのため、収容部３２が接続部３０から取り外されて溶剤Ｍ１等が接続部３０を介して漏出することを抑制することができる。
【００７８】
その後、ユーザは、付加剤収容具１０付きの容器本体１６を振ることにより付加剤Ｍ２が加えられた溶剤Ｍ１を撹拌する。これにより、混合剤Ｍ３が得られる。なお、撹拌時に収容室３４内に混合剤Ｍ３が流入した場合であっても、収容室３４内の混合剤Ｍ３は傾斜面５４によって容器本体１６内に案内されるため、接続部３０に混合剤Ｍ３が残留することが抑えられる。
【００７９】
続いて、図８に示すように、ユーザは、付加剤収容具１０を口部１８から取り外し、口部１８の内孔１８ａを介して混合剤Ｍ３を飲食する。
【００８０】
本実施形態によれば、開封用突起７８によって封止フィルム３６を収容部３２のＲ１方向に沿って破ることができるので、付加剤収容具１０のコンパクト化を図ることができる。また、開封用突起７８を収容室３４内ではなく接続部３０に形成しているので、開封用突起７８を封止フィルム３６に対して直接的に接触させることができる。これにより、封止フィルム３６を円滑に開封することができる。
【００８１】
本実施形態によれば、接続部３０が、第１ねじ部６０が形成された第１円筒部４４を有し、収容部３２が、第２ねじ部６８が形成された周壁部６２と、周壁部６２の片方の開口を閉塞する閉塞部６４と、閉塞部６４から延出するとともに第１円筒部４４の内孔４４ａに嵌入可能な第２円筒部６６を有している。そして、第２円筒部６６内に形成された収容室３４を当該第２円筒部６６に接着された封止フィルム３６によって封止し、第１円筒部４４の内孔４４ａに封止フィルム３６を開封する開封用突起７８が位置している。これにより、簡易な構成により開封用突起７８を収容室３４の外側から封止フィルム３６に接触させることができる。
【００８２】
本発明に係る付加剤収容具及びそれを備えた混合容器セットは、上述の実施形態に限らず、本発明の要旨を逸脱することなく、種々の構成を採り得ることはもちろんである。
【符号の説明】
【００８３】
１０…付加剤収容具                  １２…混合容器セット
１４…容器                          １６…容器本体
１８…口部                          ２６…第１接続ねじ部
２８…第１接続テーパ面              ３０…接続部
３２…収容部                        ３４…収容室
３６…封止フィルム                  ３８…外筒部
４０…円環部                        ４２…内筒部
４４…第１円筒部                    ４８…第２接続ねじ部
５２…第１シール突起                ５４…傾斜面
５６…第２接続テーパ面              ５８…第１テーパ面
６０…第１ねじ部                    ６２…周壁部
６４…閉塞部                        ６６…第２円筒部
６８…第２ねじ部                    ７０…第２滑り止め部
７２…第２シール突起                ７４…第２テーパ面
７８…開封用突起                    ８０…回転規制部
【図１】
2017137113.tif 000003
【図２】
2017137113.tif 000004
【図３】
2017137113.tif 000005
【図４】
2017137113.tif 000006
【図５】
2017137113.tif 000007
【図６】
2017137113.tif 000008
【図７】
2017137113.tif 000009
【図８】
2017137113.tif 000010